(57)【要約】【課題】１つの計量値を複数の積算計量値に分けて積算する計量メータの読み合わせ結果を記録できる読み合わせ一覧表を作成する読み合わせ一覧表作成装置、および読み合わせ一覧表作成方法を提供する。【解決手段】読み合わせ一覧表作成部３３は、計量メータ１ごとに、計量メータ情報記憶部３１に記憶されている計量メータ情報および当該計量メータ１が表示する積算計量値を記録するための記録欄を表示して、読み合わせ一覧表を作成する。追加記録欄作成部３４は、１つの計量値を複数の積算計量値に分けて積算する計量メータ１について、読み合わせ一覧表に当該積算計量値の個数に応じた記録欄を追加すると共に、当該追加した記録欄それぞれに計量メータ情報を複製して表示する。【選択図】図１
2014238758.tif 000002
【特許請求の範囲】
【請求項１】
計量メータが積算計量し表示する積算計量値と、前記計量メータから送信される信号に基づいて監視装置で管理する積算計量値との読み合わせを行う際の読み合わせ一覧表を作成する読み合わせ一覧表作成装置であって、
前記計量メータを識別する計量メータ情報を記憶している計量メータ情報記憶部と、
前記計量メータごとに、前記計量メータ情報記憶部に記憶された計量メータ情報および当該計量メータが表示する積算計量値を記録するための記録欄を表示して、読み合わせ一覧表を作成する読み合わせ一覧表作成部と、
前記計量メータのうち、１つの計量値を複数の積算計量値に分けて積算する計量メータについて、前記読み合わせ一覧表に当該積算計量値の個数に応じた記録欄を追加すると共に、当該追加した記録欄それぞれに前記計量メータ情報を複製して表示する追加記録欄作成部とを備えることを特徴とする読み合わせ一覧表作成装置。
【請求項２】
前記読み合わせ一覧表の記録欄および追加記録欄に記録された積算計量値と、前記監視装置で管理する積算計量値との読み合わせを複数回実施して、不一致が１回以上あった場合は読み合わせ確認不一致として通知する読み合わせ実行部を備えることを特徴とする請求項１記載の読み合わせ一覧表作成装置。
【請求項３】
計量メータが積算計量し表示する積算計量値と、前記計量メータから送信される信号に基づいて監視装置で管理する積算計量値との読み合わせを行う際の読み合わせ一覧表を作成する読み合わせ一覧表作成方法であって、
前記計量メータごとに、前記計量メータを識別する計量メータ情報および当該計量メータが表示する積算計量値を記録するための記録欄を表示して、読み合わせ一覧表を作成する読み合わせ一覧表作成ステップと、
前記計量メータのうち、１つの計量値を複数の積算計量値に分けて積算する計量メータについて、前記読み合わせ一覧表に当該積算計量値の個数に応じた記録欄を追加すると共に、当該追加した記録欄それぞれに前記計量メータ情報を複製して表示する追加記録欄作成ステップとを備えることを特徴とする読み合わせ一覧表作成方法。
【請求項４】
前記読み合わせ一覧表の記録欄および追加記録欄に記録された積算計量値と、前記監視装置で管理する積算計量値との読み合わせを複数回実施して、不一致が１回以上あった場合は読み合わせ確認不一致として通知する読み合わせ実行ステップを備えることを特徴とする請求項３記載の読み合わせ一覧表作成方法。
【発明の詳細な説明】
【技術分野】
【０００１】
この発明は、計量メータにより積算計量された積算計量値と、計量メータから送信される信号に基づいて監視装置で管理する積算計量値との読み合わせを行う際の読み合わせ一覧表を作成する読み合わせ一覧表作成装置、およびその方法に関するものである。
【背景技術】
【０００２】
ビルなどの建物内には、各種ユーティリティ（電力、ガス、水道など）の使用量を積算計量する計量メータ（課金メータ）が複数設置されている。これらの計量メータは、コントローラを介して中央監視装置に接続され、積算計量値が所定量増加するごとに、この値を示すパルス信号を送信している。そして、中央監視装置では、受信したパルス信号が示す各計量メータでの積算計量値を表示し、管理ポイントの一つとして管理している。一方、建物内の各テナントに対して、各種ユーティリティの使用料金を請求する請求者は、計量メータに表示されている積算計量値に基づいて使用料金を算出している（例えば、特許文献１，２参照）。すなわち、積算計量値を管理する際に用いる機器と、積算計量値から使用料金を算出する際に用いる機器とが異なる。そのため、両機器が示す積算計量値が一致している必要があり、定期的に、計量メータに表示されている積算計算値と、中央監視装置で管理されている積算計量値とが一致しているかを確認する読み合わせ作業が行われる。
【先行技術文献】
【特許文献】
【０００３】
【特許文献１】特開２００２−２６７６９０号公報
【特許文献２】特開２００４−２８０２３９号公報
【発明の概要】
【発明が解決しようとする課題】
【０００４】
例えば熱量の計量メータには、冷温水の消費熱量を分けて計量・積算可能なものがあり、冷水を流している場合と温水を流している場合それぞれ個別に読み合わせ作業を行う必要がある。しかし、中央監視装置では、この計量メータの積算計量値を一つの管理ポイントとして管理しているため、管理ポイントの情報に基づいて作成された読み合わせ一覧表上には、読み合わせ結果の記録欄が一つしかなく、冷水と温水の消費熱量それぞれの読み合わせ結果を記録することができないという課題があった。
【０００５】
この発明は、上記のような課題を解決するためになされたもので、１つの計量値を複数の積算計量値に分けて積算する計量メータの読み合わせ結果を記録できる読み合わせ一覧表を作成する読み合わせ一覧表作成装置、および読み合わせ一覧表作成方法を提供することを目的とする。
【課題を解決するための手段】
【０００６】
この発明に係る読み合わせ一覧表作成装置は、計量メータを識別する計量メータ情報を記憶している計量メータ情報記憶部と、計量メータごとに、計量メータ情報記憶部に記憶された計量メータ情報および当該計量メータが表示する積算計量値を記録するための記録欄を表示して、読み合わせ一覧表を作成する読み合わせ一覧表作成部と、計量メータのうち、１つの計量値を複数の積算計量値に分けて積算する計量メータについて、読み合わせ一覧表に当該積算計量値の個数に応じた記録欄を追加すると共に、当該追加した記録欄それぞれに計量メータ情報を複製して表示する追加記録欄作成部とを備えるものである。
【０００７】
この発明に係る読み合わせ一覧表作成方法は、計量メータごとに、計量メータを識別する計量メータ情報および当該計量メータが表示する積算計量値を記録するための記録欄を表示して、読み合わせ一覧表を作成する読み合わせ一覧表作成ステップと、計量メータのうち、１つの計量値を複数の積算計量値に分けて積算する計量メータについて、読み合わせ一覧表に当該積算計量値の個数に応じた記録欄を追加すると共に、当該追加した記録欄それぞれに計量メータ情報を複製して表示する追加記録欄作成ステップとを備えるものである。
【発明の効果】
【０００８】
この発明によれば、１つの計量値を複数の積算計量値に分けて積算する計量メータについて、読み合わせ一覧表に当該積算計量値の個数に応じた記録欄を追加するようにしたので、１つの計量値を複数の積算計量値に分けて積算する計量メータの読み合わせ結果を記録できる読み合わせ一覧表を作成する読み合わせ一覧表作成装置、および読み合わせ一覧表作成方法を提供することができる。
【図面の簡単な説明】
【０００９】
【図１】この発明の実施の形態１に係る計量メータ管理システムの構成を示すブロック図である。
【図２】実施の形態１に係る読み合わせ一覧表作成装置による動作を示すフローチャートである。
【図３】実施の形態１に係る読み合わせ一覧表を示す図である。
【図４】図３の読み合わせ一覧表に記録欄を追加した図である。
【発明を実施するための形態】
【００１０】
実施の形態１．
計量メータ管理システムは、図１に示すように、計量メータ１、中央管理装置２および読み合わせ一覧表作成装置３から構成されている。
計量メータ１は、所定のビルなどの建物内に複数設置され、対応するユーティリティ（電気、ガス、水道など）の使用量を積算計量するものである。また、計量メータ１の表示部には、その積算計量値が表示されている。そして、計量メータ１は、積算計量値が所定量増加するごとに、その積算計量値を示すパルス信号を中央監視装置２に送信する。
【００１１】
中央監視装置２は、各計量メータ１からパルス信号を受信することで各計量メータ１での積算計量値を取得し、管理するものである。なお、計量メータ１はパルス信号を不図示のコントローラに送信し、コントローラでパルス信号を積算計量値を示す信号に変換して中央監視装置２に送信するようにしてもよい。
【００１２】
例えば、冷温水の消費熱量を積算計量する計量メータ１は、感温部で計測した温度を元に冷水か温水かを判断し、冷水と温水に分けて、熱量換算係数および熱量の演算を行う。従って、計量メータ１は、冷水の消費熱量の積算計量値と温水の消費熱量の積算計量値を表示する。一方、中央監視装置２は、計量メータ１の積算計量する冷温水の消費熱量を１つの管理ポイントとして扱い、冷温水の区別なく消費熱量の積算計量値として管理する。
【００１３】
読み合わせ一覧表作成装置３は、各計量メータ１に表示されている積算計量値と中央監視装置２で管理（表示）されている対応する積算計量値との読み合わせを行い、値が一致しているかを確認する読み合わせ作業を行う際に使用する読み合わせ一覧表を作成するものであり、例えばパーソナルコンピュータから構成されている。この読み合わせ一覧表作成装置３は、図１に示すように、計量メータ情報記憶部３１、積算計量値記憶部３２、読み合わせ一覧表作成部３３、追加記録欄作成部３４、読み合わせ実行部３５、操作部３６、および表示部３７から構成されている。
【００１４】
計量メータ情報記憶部３１は、各計量メータ１に関する情報（種別、設置された管理区域、用途、名称、積算計量値の単位、パルスレート、係数など）を、計量メータ１の識別情報（ＩＤなど）と対応付けて記憶するものである。なお、計量メータ１の種別としては、電力メータ、ガスメータ、水道メータなどがあげられる。
【００１５】
積算計量値記憶部３２は、読み合わせ作業を行う前に中央監視装置２と通信することで、中央監視装置２で管理されている計量メータ１ごとの積算計量値を示す信号を受信し、この計量メータ１の識別情報と対応付けて記憶するものである。
【００１６】
読み合わせ一覧表作成部３３は、計量メータ情報記憶部３１に情報が記憶されている計量メータ１それぞれについて、計量メータ情報と積算計量値を記入するための記録欄とを並べて表示した読み合わせ一覧表を作成する。この記録欄は、現場の計量メータ１が表示している積算計量値を記入・記録するためのものである。また、記録欄に並べて表示する計量メータ情報としては、例えば計量メータ１の識別情報、種別、設置された管理区域、用途、名称、積算計量値の単位、パルスレート、係数などがある。
【００１７】
追加記録欄作成部３４は、読み合わせ一覧表にした計量メータ１の中から、計量メータ１の識別情報は１つでも読み合わせに必要な積算計量値が複数存在する計量メータ１（例えば、冷温水の消費熱量を積算計量可能な計量メータ）を選択し、選択した計量メータ１の記録欄を増やす。また、追加記録欄作成部３４は、追加した記録欄と並べて表示する計量メータ情報として、元の計量メータ１に共通の情報を複製して使用する。複製する共通の情報としては、例えば計量メータ１の識別情報、種別、設置された管理区域、用途、名称、積算計量値の単位、パルスレート、係数などがある。
なお、記録欄を追加する計量メータ１の選択は、ユーザが操作部３６を操作して選択してもよいし、追加記録欄作成部３４が計量メータ情報記憶部３１の記憶する計量メータ情報に基づいて選択してもよい。
【００１８】
読み合わせ実行部３５は、読み合わせ作業の際に読み合わせ一覧表の記録欄および追加記録欄に入力された値を、該当する計量メータ１から中央監視装置２を経由して取得した積算計量値と比較して、一致しているかどうか判定する。一致していない場合は、読み合わせ確認不一致を示す表示を表示部３７に出力する等の通知を行う。
なお、計量メータ１が積算計量し表示する積算計量値が複数個ある一方、計量メータ１から送信される信号に基づいて中央監視装置２で管理する積算計量値が１個の場合、読み合わせ実行部３５は、例えば複数の記録欄それぞれに記入された複数個の積算計量値を用いて所定の演算を実施し、当該演算結果を中央監視装置２で管理する積算計量値と読み合わせる。
【００１９】
操作部３６は、ユーザの操作入力を受け付ける入力装置を有し、例えば記録欄を追加する計量メータ１の選択操作を受け付けたり、読み合わせ作業の際の現場の計量メータ１が表示している積算計量値の入力を受け付けたりする。
【００２０】
表示部３７は、表示装置を有し、例えば読み合わせ一覧表を画面表示したり、読み合わせ実行部３５の読み合わせ確認不一致の通知を表示したりする。
【００２１】
次に、上記のように構成された読み合わせ一覧表作成装置３の動作について説明する。
図２は、この発明の実施の形態１に係る読み合わせ一覧表作成装置３の動作を示すフローチャートである。
読み合わせ一覧表作成部３３は、計量メータ情報記憶部３１に記憶されている計量メータ情報を取得して、読み合わせ一覧表を作成する（ステップＳＴ１）。ここで、図３に読み合わせ一覧表の一例を示す。図３の例では、中央監視装置２が１つの管理ポイントとして管理する計量メータ１の計量メータ情報Ａとして、名称、アドレス、ポイントＩＤ（識別情報）、管理点タイプ（種別）、テナント名（設置された管理区域）、課金対象（用途）などを表示している。また、現場の計量メータ１が表示している積算計量値を記録する記録欄Ｂを表示している。
【００２２】
図示例では、１つの積算計量値につき５回の読み合わせを実施することとし、１つの計量メータ１に対して５個の記録欄を設定しているが、これに限定されるものではなく、１つの計量メータ１に対して１個以上の記録欄を設定してあればよい。
さらに、読み合わせ一覧表作成部３３が読み合わせ一覧表を作成する際に、中央監視装置２が計量メータ１から取得した積算計量値を表示するための表示欄を設けてもよい。また、追加記録欄作成部３４が記録欄の追加と併せて表示欄を追加してもよい。この構成の場合、読み合わせの際に、読み合わせ実行部３５が積算計量値記憶部３２から積算計量値を取得して表示欄に表示する。
【００２３】
続いて、追加記録欄作成部３４が、記録欄が複数必要な計量メータ１の有無を確認する（ステップＳＴ２）。例えば図３に表示されている計量メータ情報の中に管理点タイプ（種別）がＴＴＤ（積算を意味する）の計量メータ１がある場合、追加記録欄作成部３４がその計量メータ１を選択し（ステップＳＴ２“ＹＥＳ”）、読み合わせ一覧表作成部３３が作成した読み合わせ一覧表に記録欄を追加する（ステップＳＴ３）。続けて追加記録欄作成部３４は、選択した計量メータ１の計量メータ情報を複製して、追加した記録欄に設定する（ステップＳＴ４）。
一方、記録欄が複数必要な計量メータ１が無ければ（ステップＳＴ２“ＮＯ”）、ステップＳＴ５へ進む。
【００２４】
ここで、図４に、記録欄を追加した読み合わせ一覧表の例を示す。図４の例では、冷温水の消費熱量を積算計量可能な計量メータ１の計量メータ情報Ａ１について、もともと設定されていた記録欄Ｂ１を「冷」用の消費熱量の記録欄にし、ここに新たに記録欄Ｂ２を追加して「暖」用の消費熱量の記録欄にしている。また、記録欄Ｂ２に対して、計量メータ情報Ａ１を複製した計量メータ情報Ａ２を設定している。従って、記録欄Ｂ１，Ｂ２に入力される積算計量値は両方とも同一の計量メータ１が表示している積算計量値であることが識別可能である。
【００２５】
読み合わせ作業の際には、読み合わせ実行部３５が、ユーザの入力する現場の計量メータ１の積算計量値を取得して（ステップＳＴ５“ＹＥＳ”）、読み合わせ一覧表の記録欄Ｂ１，Ｂ２に表示すると共に、計量メータ情報に対応付けて積算計量値記憶部３２に記憶しておく（ステップＳＴ６）。
例えば図４の場合、読み合わせ実行部３５が、計量メータ１の「冷」の表示値（Ｂ１）と計量メータ１の「暖」の表示値（Ｂ２）とを加算した値を、中央監視装置２で管理する積算計量値と比較して、一致するか否か判定する。
【００２６】
操作部３６がユーザによる終了操作を受け付けると（ステップＳＴ７“ＹＥＳ”）、一連の処理を終了する。それまでは（ステップＳＴ７“ＮＯ”）、ステップＳＴ５，ＳＴ６を繰り返して、各記録欄に積算計量値を記録していく。
【００２７】
なお、読み合わせ実行部３５は、現場の計量メータ１の積算計量値と、中央監視装置２を介して取得した積算計量値（積算計量値記憶部３２に記憶されている）とを読み合わせして、一致するか否か自動判定を行い、一致しない場合にその旨を通知するようにしてもよい。図３および図４の例では読み合わせを５回実施し、１回以上の不一致があった場合に通知する。
【００２８】
以上より、実施の形態１によれば、読み合わせ一覧表作成装置３は、計量メータ１を識別する計量メータ情報を記憶している計量メータ情報記憶部３１と、計量メータ１ごとに、計量メータ情報記憶部３１に記憶されている計量メータ情報および当該計量メータ１が表示する積算計量値を記録するための記録欄を表示して、読み合わせ一覧表を作成する読み合わせ一覧表作成部３３と、計量メータ１のうち、１つの計量値を複数の積算計量値に分けて積算する計量メータ１について、読み合わせ一覧表に当該積算計量値の個数に応じた記録欄を追加すると共に、当該追加した記録欄それぞれに計量メータ情報を複製して表示する追加記録欄作成部３４とを備える構成にした。このため、１つの計量値を複数の積算計量値に分けて積算する計量メータ１の読み合わせ結果を記録できる読み合わせ一覧表を作成することができ、積算計量値それぞれの読み合わせ結果を容易に確認することができる。
【００２９】
また、実施の形態１によれば、読み合わせ一覧表作成装置３は、読み合わせ一覧表の記録欄および追加記録欄に記録された積算計算量と、中央監視装置２で管理する積算計算量との読み合わせを複数回実施して、不一致が１回以上あった場合は読み合わせ確認不一致として通知する読み合わせ実行部３５を備える構成にした。このため、１つの計量値を複数の積算計量値に分けて積算する計量メータ１については、積算計量値ごとに確認作業を行って一致・不一致を判定できる。従って、問題が発生した場合の早期対策を行うことが出来るようになる。
【００３０】
なお、本発明の実施形態を図面を参照して詳述してきたが、具体的な構成は、上述した実施の形態の構成に限られるものではなく、本発明の要旨を逸脱しない範囲の設計の変更などがあっても本発明に含まれることは言うまでもない。
【００３１】
また、上記説明では、読み合わせ一覧表作成装置３を中央監視装置２から独立させて構成した場合について示したが、この読み合わせ一覧表作成装置３を中央監視装置２内に組み込んで構成してもよい。
【符号の説明】
【００３２】
１  計量メータ
２  中央監視装置
３  読み合わせ一覧表作成装置
３１  計量メータ情報記憶部
３２  積算計量値記憶部
３３  読み合わせ一覧表作成部
３４  追加記録欄作成部
３５  読み合わせ実行部
３６  操作部
３７  表示部
【図１】
2014238758.tif 000003
【図２】
2014238758.tif 000004
【図３】
2014238758.tif 000005
【図４】
2014238758.tif 000006